(57)【要約】      （修正有）【課題】高防水性能及び高放熱効率を合わせ持つＬＥＤ投光器を提供する。【解決手段】光源基板と、光源基板を内包するＬＥＤ光源ユニットハウジング１と、ＬＥＤ光源ユニットハウジングに付属する放熱フィン５と、放熱フィンによって構成される放熱フィン前部貫通部３及び放熱フィン後端部１０１と、ＬＥＤ光源ユニットハウジングと放熱フィンからなるＬＥＤ光源ユニットと、ＬＥＤ光源ユニットと一体化した電源ユニットハウジングと、電源ユニットハウジングに格納する電源ユニットと、電源ユニットハウジングの蓋と、電源ユニットハウジング蓋に付属する電源ユニットハウジング蓋放熱フィンと、アームからなるＬＥＤ投光器。【選択図】図２
0003205674.tif 000002
【実用新案登録請求の範囲】
【請求項１】
光源基板と、前記光源基板を内包するＬＥＤ光源ユニットハウジングと、前記ＬＥＤ光源ユニットハウジングに付属する放熱フィンと、前記放熱フィンによって構成される放熱フィン前部貫通部及び放熱フィン後端部と、前記ＬＥＤ光源ユニットハウジングと前記放熱フィンからなるＬＥＤ光源ユニットと、前記ＬＥＤ光源ユニットと一体化した電源ユニットハウジングと、前記電源ユニットハウジングに格納する電源ユニットと、前記電源ユニットハウジングの蓋と、前記電源ユニットハウジング蓋に付属する電源ユニットハウジング蓋放熱フィンと、アームからなるＬＥＤ投光器。
【考案の詳細な説明】
【技術分野】
【０００１】
本実用新案はＬＥＤを光源とした投光器に関する。
【背景技術】
【０００２】
照明用ＬＥＤを使用した投光器には、電源ボックス・ヒートシンク一体型と、分離型が存在する。
【考案の概要】
【考案が解決しようとする課題】
【０００３】
電源ボックス・ヒートシンク一体型のＬＥＤ投光器では、電源ボックスとヒートシンクの熱が相互干渉し、ＬＥＤ投光器全体の放熱効率が悪い。
【０００４】
電源ボックス・ヒートシンク分離型のＬＥＤ投光器では、生産時の組み立てが複雑で、防水性能を高めることが難しい。
【０００５】
本実用新案は、このような問題を解決するもので、ＬＥＤ投光器の高防水性能及び高放熱効率を実現するものである。
【課題を解決するための手段】
【０００６】
本実用新案は、光源基板と、前記光源基板を内包するＬＥＤ光源ユニットハウジングと、前記ＬＥＤ光源ユニットハウジングに付属する放熱フィンと、前記放熱フィンによって構成される放熱フィン前部貫通部及び放熱フィン後端部と、前記ＬＥＤ光源ユニットハウジングと前記放熱フィンからなるＬＥＤ光源ユニットと、前記ＬＥＤ光源ユニットと一体化した電源ユニットハウジングと、前記電源ユニットハウジングに格納する電源ユニットと、前記電源ユニットハウジングの蓋と、前記電源ユニットハウジング蓋に付属する電源ユニットハウジング蓋放熱フィンと、アームからなるＬＥＤ投光器である。
【考案の効果】
【０００７】
ＬＥＤ光源ユニット及び電源ユニットそれぞれのハウジングを一体成型することにより、生産時の組み立てが容易となる。
【０００８】
ＬＥＤ光源ユニット及び電源ユニットそれぞれのハウジングを一体成型することにより、高い防水性能を保持する。
【０００９】
ＬＥＤ光源ユニットと電源ユニットを独立させ、前記ＬＥＤ光源ユニットと前記電源ユニットの間に放熱フィンを形成し、通風部を設けることにより、効率的な放熱を行う。
【００１０】
ＬＥＤ光源ユニットの、電源ユニットとの反対側に放熱フィンを形成し、通風部を設けることにより、効率的な放熱を行う。
【００１１】
ＬＥＤ光源ユニットハウジングの開口部と電源ユニットハウジングの開口部を、表裏反対側に配置することにより、ＬＥＤ光源ユニットと電源ユニットの発熱を分散させる。
【図面の簡単な説明】
【００１２】
【図１】本実用新案にかかる、ＬＥＤ投光器ユニット本体の、電源ユニットハウジング開口部側からの見取り図である。
【図２】本実用新案にかかる、ＬＥＤ投光器ユニット本体の、ＬＥＤ光源ユニットハウジング開口部側からの見取り図である。
【図３】図２のＡの部分の拡大図である。
【図４】本実用新案にかかる、ＬＥＤ投光器ユニット全体の、発光面表側からの見取り図である。
【図５】本実用新案にかかる、ＬＥＤ投光器ユニット全体の、電源ユニットハウジング蓋側からの見取り図である。
【図６】本実用新案にかかる、ＬＥＤ投光器ユニット全体の、各部品の分解図である。
【図７】本実用新案にかかる、電源ユニットハウジング蓋内側の拡大図である。
【考案を実施するための形態】
【００１３】
図１、図２に示すように、ＬＥＤ光源ユニットハウジング１の裏側の放熱フィン５と同じ側に、電源ユニットハウジング２の開口部がある。電源ユニットハウジング２の両側に、アーム回転固定部４を配置する。前記ＬＥＤ光源ユニットハウジング１と前記電源ユニットハウジング２との間に、前記放熱フィン５の延長となる、放熱フィン前部貫通部３がある。
【００１４】
図４、図５、図６に示すように、前記光源ユニットハウジング１に光源基板９を配置し、カバーガラス防水パッキン８を挟んでカバーガラス７をカバーガラス取付枠６で固定する。前記電源ユニットハウジング２に電源ユニット１１を配置し、電源ユニットハウジング蓋防水パッキン１２を挟んで、電源ユニットハウジング蓋放熱フィン１３０２を持つ電源ユニットハウジング蓋１３で蓋をする。前記アーム回転固定部４にアーム１４をアーム固定化粧キャップ１０で取り付け、アーム固定ねじ１５で固定する。
【００１５】
図３に示すように、放熱板状フィン３０１の間に放熱板状フィン間隙３０２を構成し、放熱のために滑らかな空気の流れを作り出す。また、前記光源基板９を、電源ユニットハウジング・光源ユニットハウジング連接穴１０２を通して前記電源ユニット１１と接続する。
【００１６】
図７に示すように、前記電源ユニットハウジング蓋１３の取り付け部には、電源ユニットハウジング蓋防水パッキン溝１３０１を配置する。
【００１７】
以上により、高防水性能及び高放熱効率を持つ、ＬＥＤを光源としたＬＥＤ投光器ユニットを構成することができる。
【産業上の利用可能性】
【００１８】
本実用新案は、看板照明や建物のライトアップ用の投光器に利用可能である。
【符号の説明】
【００１９】
１・・・ＬＥＤ光源ユニットハウジング
２・・・電源ユニットハウジング
３・・・放熱フィン前部貫通部
４・・・アーム回転固定部
５・・・放熱フィン
６・・・カバーガラス取付枠
７・・・カバーガラス
８・・・カバーガラス防水パッキン
９・・・光源基板
１０・・・アーム固定化粧キャップ
１１・・・電源ユニット
１２・・・電源ユニットハウジング蓋防水パッキン
１３・・・電源ユニットハウジング蓋
１４・・・アーム
１５・・・アーム固定ねじ
１０１・・・放熱フィン後端部
１０２・・・電源ユニットハウジング・光源ユニットハウジング連接穴
３０１・・・放熱板状フィン
３０２・・・放熱板状フィン間隙
１３０１・・・電源ユニットハウジング蓋防水パッキン溝
１３０２・・・電源ユニットハウジング蓋放熱フィン
【図１】
0003205674.tif 000003
【図２】
0003205674.tif 000004
【図３】
0003205674.tif 000005
【図４】
0003205674.tif 000006
【図５】
0003205674.tif 000007
【図６】
0003205674.tif 000008
【図７】
0003205674.tif 000009